(57)【要約】【課題】周波数帯域ごとの受信感度のばらつきが抑制される通信モジュールを提供する。【解決手段】通信モジュールは、第１周波数帯域の第１受信信号又は第２周波数帯域の第２受信信号が入力され、第１受信信号を第１端子に出力し、第２受信信号を第２端子に出力する第１スイッチ回路と、第１受信信号を増幅する第１低雑音増幅器と、第２受信信号を増幅する第２低雑音増幅器と、第１スイッチ回路と第１低雑音増幅器との間に設けられた第１フィルタ回路と、第１スイッチ回路と第２低雑音増幅器との間に設けられた第２フィルタ回路と、を備え、第１フィルタ回路における信号損失は、第２フィルタ回路における信号損失より大きく、第１スイッチ回路の第１端子から第１フィルタ回路を経由して第１低雑音増幅器に至るまでの信号経路の長さは、第１スイッチ回路の第２端子から第２フィルタ回路を経由して第２低雑音増幅器に至るまでの信号経路の長さより短い。【選択図】図１
2018098578.tif 000002
【特許請求の範囲】
【請求項１】
第１周波数帯域の第１受信信号又は第２周波数帯域の第２受信信号が入力され、前記第１受信信号を第１端子に出力し、前記第２受信信号を第２端子に出力する第１スイッチ回路と、
前記第１受信信号を増幅する第１低雑音増幅器と、
前記第２受信信号を増幅する第２低雑音増幅器と、
前記第１スイッチ回路の前記第１端子と前記第１低雑音増幅器との間に設けられた第１フィルタ回路であって、前記第１周波数帯域の受信周波数を通過させる第１フィルタ回路と、
前記第１スイッチ回路の前記第２端子と前記第２低雑音増幅器との間に設けられた第２フィルタ回路であって、前記第２周波数帯域の受信周波数を通過させる第２フィルタ回路と、
を備え、
前記第１フィルタ回路における信号損失は、前記第２フィルタ回路における信号損失より大きく、
前記第１スイッチ回路の前記第１端子から前記第１フィルタ回路を経由して前記第１低雑音増幅器に至るまでの信号経路の長さは、前記第１スイッチ回路の前記第２端子から前記第２フィルタ回路を経由して前記第２低雑音増幅器に至るまでの信号経路の長さより短い、通信モジュール。
【請求項２】
前記通信モジュールは、
前記第１低雑音増幅器から出力される前記第１受信信号又は前記第２低雑音増幅器から出力される前記第２受信信号が入力され、前記第１又は第２受信信号を出力する第２スイッチ回路をさらに備える、請求項１記載の通信モジュール。
【請求項３】
前記通信モジュールは、
前記第１周波数帯域の第１送信信号を増幅して第１増幅信号を出力する第１電力増幅器と、
前記第２周波数帯域の第２送信信号を増幅して第２増幅信号を出力する第２電力増幅器と、
をさらに備え、
前記第１フィルタ回路は、前記第１電力増幅器から入力される前記第１増幅信号を前記第１スイッチ回路の前記第１端子に出力し、前記第１スイッチ回路の前記第１端子から入力される前記第１受信信号を前記第１低雑音増幅器に出力するデュプレクサであって、
前記第２フィルタ回路は、前記第２電力増幅器から入力される前記第２増幅信号を前記第１スイッチ回路の前記第２端子に出力し、前記第１スイッチ回路の前記第２端子から入力される前記第２受信信号を前記第２低雑音増幅器に出力するデュプレクサである、請求項１又は２記載の通信モジュール。
【請求項４】
第１周波数帯域の第１受信信号又は第２周波数帯域の第２受信信号が入力され、前記第１受信信号を第１端子に出力し、前記第２受信信号を第２端子に出力する第１スイッチ回路と、
前記第１スイッチ回路の前記第１端子から前記第１受信信号が入力される第１フィルタ回路であって、前記第１周波数帯域の受信周波数を通過させる第１フィルタ回路と、
前記第１スイッチ回路の前記第２端子から前記第２受信信号が入力される第２フィルタ回路であって、前記第２周波数帯域の受信周波数を通過させる第２フィルタ回路と、
前記第１フィルタ回路から出力される前記第１受信信号又は前記第２フィルタ回路から出力される前記第２受信信号が入力され、前記第１又は第２受信信号を出力する第３スイッチ回路と、
前記第３スイッチ回路から出力される前記第１又は第２受信信号を増幅する低雑音増幅器と、
を備え、
前記第１フィルタ回路における信号損失は、前記第２フィルタ回路における信号損失より大きく、
前記第１スイッチ回路の前記第１端子から前記第１フィルタ回路を経由して前記第３スイッチ回路に至るまでの信号経路の長さは、前記第１スイッチ回路の前記第２端子から前記第２フィルタ回路を経由して前記第３スイッチ回路に至るまでの信号経路の長さより短い、通信モジュール。
【請求項５】
前記通信モジュールは、
前記第１周波数帯域の第１送信信号を増幅して第１増幅信号を出力する第１電力増幅器と、
前記第２周波数帯域の第２送信信号を増幅して第２増幅信号を出力する第２電力増幅器と、
をさらに備え、
前記第１フィルタ回路は、前記第１電力増幅器から入力される前記第１増幅信号を前記第１スイッチ回路の前記第１端子に出力し、前記第１スイッチ回路の前記第１端子から入力される前記第１受信信号を前記第３スイッチ回路に出力するデュプレクサであって、
前記第２フィルタ回路は、前記第２電力増幅器から入力される前記第２増幅信号を前記第１スイッチ回路の前記第２端子に出力し、前記第１スイッチ回路の前記第２端子から入力される前記第２受信信号を前記第３スイッチ回路に出力するデュプレクサである、請求項４記載の通信モジュール。
【発明の詳細な説明】
【技術分野】
【０００１】
本発明は、通信モジュールに関する。
【背景技術】
【０００２】
携帯電話の通信網を用いる携帯端末においては、基地局と送受信する無線周波数（ＲＦ：Ｒａｄｉｏ  Ｆｒｅｑｕｅｎｃｙ）信号を増幅するための増幅器を備える通信モジュールが用いられる。近年、携帯端末のユーザ数は爆発的に増加しており、これらのユーザによる通信トラフィックに対応するために、携帯電話に適用する周波数帯域（バンド）の数が増加している。従って、通信モジュールにおいては、これらの複数の周波数帯域への対応が求められている。
【０００３】
例えば、特許文献１には、複数の周波数帯域に対応した複数のデュプレクサと、アンテナから供給される受信信号を周波数帯域に応じて各デュプレクサに振り分けるスイッチとを備える構成が開示されている。
【先行技術文献】
【特許文献】
【０００４】
【特許文献１】特開２０１６−１５６７３号公報
【発明の概要】
【発明が解決しようとする課題】
【０００５】
デュプレクサは、対応する周波数帯域に応じて通過させる信号の周波数が異なるため、回路構成が異なる。従って、デュプレクサの挿入による信号損失の水準は、周波数帯域に応じて異なり得る。この点、特許文献１に開示される構成においては、周波数帯域に応じて信号損失の水準に差が生じ、受信感度がばらつくという問題がある。
【０００６】
本発明はこのような事情に鑑みてなされたものであり、周波数帯域ごとの受信感度のばらつきが抑制される通信モジュールを提供することを目的とする。
【課題を解決するための手段】
【０００７】
本発明の一側面に係る通信モジュールは、第１周波数帯域の第１受信信号又は第２周波数帯域の第２受信信号が入力され、第１受信信号を第１端子に出力し、第２受信信号を第２端子に出力する第１スイッチ回路と、第１受信信号を増幅する第１低雑音増幅器と、第２受信信号を増幅する第２低雑音増幅器と、第１スイッチ回路の第１端子と第１低雑音増幅器との間に設けられた第１フィルタ回路であって、第１周波数帯域の受信周波数を通過させる第１フィルタ回路と、第１スイッチ回路の第２端子と第２低雑音増幅器との間に設けられた第２フィルタ回路であって、第２周波数帯域の受信周波数を通過させる第２フィルタ回路と、を備え、第１フィルタ回路における信号損失は、第２フィルタ回路における信号損失より大きく、第１スイッチ回路の第１端子から第１フィルタ回路を経由して第１低雑音増幅器に至るまでの信号経路の長さは、第１スイッチ回路の第２端子から第２フィルタ回路を経由して第２低雑音増幅器に至るまでの信号経路の長さより短い。
【発明の効果】
【０００８】
本発明によれば、周波数帯域ごとの受信感度のばらつきが抑制される通信モジュールを提供することが可能となる。
【図面の簡単な説明】
【０００９】
【図１】本発明の第１実施形態に係る通信モジュールの構成例を示す図である。
【図２Ａ】通信モジュール１００Ａにおけるデュプレクサの挿入損失のシミュレーション結果を示すグラフである。
【図２Ｂ】通信モジュール１００Ａにおけるデュプレクサの挿入損失のシミュレーション結果を示すグラフである。
【図２Ｃ】通信モジュール１００Ａにおけるデュプレクサの挿入損失のシミュレーション結果を示すグラフである。
【図３】本発明の第１実施形態に係る通信モジュールにおける構成要素の配置例を模式的に示す図である。
【図４】本発明の第２実施形態に係る通信モジュールの構成例を示す図である。
【図５】本発明の第２実施形態に係る通信モジュールにおける構成要素の配置例を模式的に示す図である。
【図６】本発明の第３実施形態に係る通信モジュールの構成例を示す図である。
【発明を実施するための形態】
【００１０】
以下、図面を参照して本発明の一実施形態について説明する。なお、同一の要素には同一の符号を付し、重複する説明を省略する。
【００１１】
図１は、本発明の一実施形態に係る通信モジュールの構成例（通信モジュール１００Ａ）を示す図である。通信モジュール１００Ａは、例えば、携帯電話等の移動体通信機において、音声やデータなどの各種信号を基地局との間で送受信するために用いられる。通信モジュール１００Ａは、無線周波数（ＲＦ：Ｒａｄｉｏ  Ｆｒｅｑｕｅｎｃｙ）の複数の周波数帯域（マルチバンド）に対応している。また、通信モジュール１００Ａは、３Ｇ（第３世代移動通信システム）、４Ｇ（第４世代移動通信システム）等の複数の通信方式（マルチモード）に対応している。なお、通信モジュール１００Ａが対応する通信方式はこれに限られず、２Ｇ（第２世代移動通信システム）又は５Ｇ（第５世代移動通信システム）等に対応していてもよい。また、通信モジュール１００Ａは、キャリアアグリゲーションに対応していてもよい。
【００１２】
図１に示されるように、通信モジュール１００Ａは、アンテナ１０、アンテナスイッチ２０、デュプレクサ３０ａ，３０ｂ，３０ｃ、低雑音増幅器４０ａ，４０ｂ，４０ｃ、電力増幅器５０ａ，５０ｂ，５０ｃ及び線路６０ａ，６０ｂ，６０ｃ，６１ａ，６１ｂ，６１ｃを備える。通信モジュール１００Ａは、３つのバンドＢａｎｄ＿ａ，Ｂａｎｄ＿ｂ，Ｂａｎｄ＿ｃに対応した信号経路を備える。以下の説明において、符号が「ａ」を含む要素はバンドＢａｎｄ＿ａに対応する要素であり、符号が「ｂ」を含む要素はバンドＢａｎｄ＿ｂに対応する要素であり、符号が「ｃ」を含む要素はバンドＢａｎｄ＿ｃに対応する要素である。なお、説明の便宜上、例えば「デュプレクサ３０ａ，３０ｂ，３０ｃ」をまとめて単に「デュプレクサ３０」とも呼ぶ。他の構成要素においても同様である。
【００１３】
アンテナ１０は、携帯端末と基地局との間でＲＦ信号の送受信を行う。
【００１４】
アンテナスイッチ２０（第１スイッチ回路）は、ＲＦ信号の周波数帯域に応じてアンテナ１０とデュプレクサ３０との間の信号経路を切り替える。具体的には、例えば、バンドＢａｎｄ＿ａ（第１周波数帯域）のＲＦ信号を送受信する場合、アンテナスイッチ２０は、端子２１と端子２２ａとの間を電気的に接続する。これにより、端子２１に入力される受信信号（第１受信信号）は、端子２２ａ（第１端子）から線路６０ａに出力される。また、端子２２ａに入力される送信信号は、端子２１からアンテナ１０に出力される。同様に、バンドＢａｎｄ＿ｂ（第２周波数帯域）のＲＦ信号を送受信する場合、アンテナスイッチ２０は、端子２１と端子２２ｂとの間を電気的に接続する。これにより、端子２１に入力される受信信号（第２受信信号）は、端子２２ｂ（第２端子）から線路６０ｂに出力される。また、端子２２ｂに入力される送信信号は、端子２１からアンテナ１０に出力される。同様に、バンドＢａｎｄ＿ｃのＲＦ信号を送受信する場合、アンテナスイッチ２０は、端子２１と端子２２ｃとの間を電気的に接続する。これにより、端子２１に入力される受信信号は、端子２２ｃから線路６０ｃに出力される。また、端子２２ｃに入力される送信信号は、端子２１からアンテナ１０に出力される。
【００１５】
デュプレクサ３０ａ（第１フィルタ回路），３０ｂ（第２フィルタ回路），３０ｃは、それぞれ、バンドＢａｎｄ＿ａ，Ｂａｎｄ＿ｂ，Ｂａｎｄ＿ｃに対応している。デュプレクサ３０の構成について、デュプレクサ３０ａを例に説明する。デュプレクサ３０ａは、共通ノード３１ａ、送信ノード３２ａ及び受信ノード３３ａを備える。デュプレクサ３０ａは、電力増幅器５０ａから送信ノード３２ａ及び共通ノード３１ａを通じてアンテナスイッチ２０の端子２２ａにバンドＢａｎｄ＿ａの送信信号を出力する。また、デュプレクサ３０ａは、アンテナスイッチ２０の端子２２ａから共通ノード３１ａ及び受信ノード３３ａを通じて低雑音増幅器４０ａにバンドＢａｎｄ＿ａの受信信号を出力する。デュプレクサ３０ａは、例えば、バンドＢａｎｄ＿ａの受信周波数又は送信周波数の基本波を通過させ、高調波を減衰させる低域通過フィルタ（ＬＰＦ）や帯域通過フィルタ（ＢＰＦ）等を用いて構成される。なお、デュプレクサ３０ｂ，３０ｃについては、デュプレクサ３０ａと同様であるため詳細な説明は省略する。
【００１６】
デュプレクサ３０は、通過させる周波数帯域の周波数に応じて回路構成が異なるため、当該デュプレクサ３０の挿入による信号損失の水準にばらつきが生じ得る。以下、周波数帯域の一例として、バンドＢａｎｄ＿ａがＬＴＥ（Ｌｏｎｇ  Ｔｅｒｍ  Ｅｖｏｌｕｔｉｏｎ）におけるＢａｎｄ２６（受信周波数：８５９〜８９４ＭＨｚ）、バンドＢａｎｄ＿ｂがＢａｎｄ２０（受信周波数：７９１〜８２１ＭＨｚ）、バンドＢａｎｄ＿ｃがＢａｎｄ１２（受信周波数：７２８〜７４６ＭＨｚ）であるものとして、当該信号損失の水準のばらつきについて説明する。なお、ここで挙げられた周波数帯域は一例であり、通信モジュール１００Ａが対応する周波数帯域はこれに限られない。
【００１７】
図２Ａ〜図２Ｃは、通信モジュール１００Ａにおけるデュプレクサ３０の挿入損失のシミュレーション結果を示すグラフである。図２Ａ〜図２Ｃに示されるグラフにおいて、縦軸は信号の挿入損失（すなわち、受信ノード３３ａ，３３ｂ，３３ｃの共通ノード３１ａ，３１ｂ，３１ｃに対するＳパラメータ）（ｄＢ）を表し、横軸は周波数（ＭＨｚ）を表している。また、各図において、図２Ａはデュプレクサ３０ａにおけるＢａｎｄ２６の受信信号の挿入損失、図２Ｂはデュプレクサ３０ｂにおけるＢａｎｄ２０の受信信号の挿入損失、図２Ｃはデュプレクサ３０ｃにおけるＢａｎｄ１２の受信信号の挿入損失を表す。
【００１８】
シミュレーション結果より、各周波数帯域における最大挿入損失は、Ｂａｎｄ２６では（周波数：挿入損失）＝（８５９ＭＨｚ：−２．３２２）、Ｂａｎｄ２０では（周波数：挿入損失）＝（７９１ＭＨｚ：−２．０９２）、Ｂａｎｄ１２では（周波数：挿入損失）＝（７２８ＭＨｚ：−１．９５０）である。従って、図２Ａ〜図２Ｃに示されるように、デュプレクサ３０ａ，３０ｂ，３０ｃにおける信号の最大挿入損失は、大きい順にＢａｎｄ２６、Ｂａｎｄ２０、Ｂａｎｄ１２となる。このような、周波数帯域によるデュプレクサにおける信号損失の最大値の相違は、周波数帯域の帯域幅の相違、又は周波数帯域における送信周波数と受信周波数の差の相違に起因する。当該信号損失の最大値のばらつきの抑制については後述する。
【００１９】
図１に戻り、低雑音増幅器４０ａ，４０ｂ，４０ｃ（ＬＮＡ：Ｌｏｗ  Ｎｏｉｓｅ  Ａｍｐｌｉｆｉｅｒ）は、それぞれ、入力される受信信号を、復調するために必要なレベルまで増幅し、増幅信号を出力する。具体的には、例えば、低雑音増幅器４０ａ（第１低雑音増幅器）は端子４１ａから入力されるバンドＢａｎｄ＿ａの受信信号（第１受信信号）を増幅する。低雑音増幅器４０ｂ（第２低雑音増幅器）は端子４１ｂから入力されるバンドＢａｎｄ＿ｂの受信信号（第２受信信号）を増幅する。低雑音増幅器４０ｃは端子４１ｃから入力されるバンドＢａｎｄ＿ｃの受信信号を増幅する。低雑音増幅器４０から出力される受信信号は、ベースバンド信号に復調される。なお、本実施形態において、アンテナスイッチ２０、デュプレクサ３０及び低雑音増幅器４０は、同一基板上に実装されている。
【００２０】
電力増幅器５０ａ，５０ｂ，５０ｃ（ＰＡ：Ｐｏｗｅｒ  Ａｍｐｌｉｆｉｅｒ）は、それぞれ、入力される送信信号の電力を基地局に送信するために必要なレベルまで増幅し、増幅信号を出力する。具体的には、例えば、電力増幅器５０ａ（第１電力増幅器）は、バンドＢａｎｄ＿ａの送信信号（第１送信信号）を増幅した増幅信号（第１増幅信号）を出力する。電力増幅器５０ｂ（第２電力増幅器）は、バンドＢａｎｄ＿ｂの送信信号（第２送信信号）を増幅した増幅信号（第２増幅信号）を出力する。電力増幅器５０ｃは、バンドＢａｎｄ＿ｃの送信信号を増幅した増幅信号を出力する。なお、電力増幅器５０は、それぞれ、二段以上の複数段で構成されてもよい。
【００２１】
線路６０ａ，６０ｂ，６０ｃは、それぞれ、アンテナスイッチ２０の端子２２ａ，２２ｂ，２２ｃとデュプレクサ３０ａ，３０ｂ，３０ｃの共通ノード３１ａ，３１ｂ，３１ｃとの間の信号経路を示している。また、線路６１ａ，６１ｂ，６１ｃは、それぞれ、デュプレクサ３０ａ，３０ｂ，３０ｃの受信ノード３３ａ，３３ｂ，３３ｃと低雑音増幅器４０ａ，４０ｂ，４０ｃの端子４１ａ，４１ｂ，４１ｃとの間の信号経路を示している。次に、図３を参照しつつ、本実施形態における構成要素の配置について説明する。
【００２２】
図３は、本発明の第１実施形態に係る通信モジュールにおける構成要素の配置例を模式的に示す図である。なお、説明の便宜上、図３に示される構成要素のうち図１に示される構成要素に対応する要素については、図１に示される符号と同様の符号を用いて詳細な説明を省略する。
【００２３】
通信モジュール１００Ａは、同一モジュール上に、アンテナスイッチ２０、デュプレクサ３０ａ，３０ｂ，３０ｃ、低雑音増幅器４０ａ，４０ｂ，４０ｃ、電力増幅器５２、線路６０ａ，６０ｂ，６０ｃ，６１ａ，６１ｂ，６１ｃ、整合回路７０及びスイッチ回路８０を備える。
【００２４】
電力増幅器５２は、図１に示される電力増幅器５０ａ，５０ｂ，５０ｃを含む。整合回路７０は、電力増幅器５２の出力インピーダンスとスイッチ回路８０の入力インピーダンスとを整合する。スイッチ回路８０は、電力増幅器５２から整合回路７０を経由して入力される送信信号を、周波数帯域に応じて、デュプレクサ３０ａの送信ノード３２ａ、デュプレクサ３０ｂの送信ノード３２ｂ、又はデュプレクサ３０ｃの送信ノード３２ｃに出力する。なお、その他の構成要素については、図１に示される構成要素と同様であるため、詳細な説明は省略する。
【００２５】
図３に示されるように、通信モジュール１００Ａにおいては、各デュプレクサ３０ａ，３０ｂ，３０ｃにおける信号損失のばらつきを相殺するように、アンテナスイッチ２０から低雑音増幅器４０ａ，４０ｂ，４０ｃまでの信号経路の長さが調整される。すなわち、信号経路が長いほど、信号経路における信号損失が増大するため、デュプレクサにおける信号損失のばらつきを信号経路の長さよって相殺させることができる。具体的には、デュプレクサ３０における信号損失が比較的大きいバンドにおいては、アンテナスイッチ２０からデュプレクサ３０を経由して低雑音増幅器４０に至るまでの信号経路の長さが比較的短くなり、デュプレクサ３０における信号損失が比較的小さいバンドにおいては、アンテナスイッチ２０からデュプレクサ３０を経由して低雑音増幅器４０に至るまでの信号経路の長さが比較的長くなるように、各構成要素が基板上に配置される（図３参照）。例えば、バンドＢａｎｄ＿ａ（Ｂａｎｄ２６）の線路６０ａ及び線路６１ａの合計は、バンドＢａｎｄ＿ｂ（Ｂａｎｄ２０）の線路６０ｂ及び線路６１ｂの合計より短い。また、バンドＢａｎｄ＿ｂ（Ｂａｎｄ２０）の線路６０ｂ及び線路６１ｂの合計は、バンドＢａｎｄ＿ｃ（Ｂａｎｄ１２）の線路６０ｃ及び線路６１ｃの合計より短い。これにより、デュプレクサにおける信号損失が比較的大きいバンドほど、線路６０，６１における信号損失が比較的小さくなる。従って、周波数帯域の違いに応じた信号損失のばらつきが抑制され、周波数帯域ごとの受信感度のばらつきが抑制される。
【００２６】
なお、通信モジュール１００Ａが対応する周波数帯域の例はこれに限られない。例えば、デュプレクサ３０ａにおける信号損失が大きく、信号経路が比較的短いバンドＢａｎｄ＿ａは、Ｂａｎｄ２６の代わりにＢａｎｄ８（受信周波数：９２５〜９６０ＭＨｚ）であってもよい。
【００２７】
また、図１及び図３では、説明を簡単にするために３つの周波数帯域に対応したモジュールが示されているが、通信モジュール１００Ａにおける構成はこれに限られず、２つ又は４つ以上の周波数帯域に対応した構成であってもよい。また、通信モジュールは、アンテナ１０とアンテナスイッチ２０との間に、アンテナ１０からの受信信号を周波数帯域ごとに分割したり、複数の周波数帯域の送信信号を合成したりするダイプレクサを備えていてもよい。また、通信モジュール１００Ａは、各周波数帯域に応じた他のフィルタ回路等を含んでいてもよい。
【００２８】
図４は、本発明の第２実施形態に係る通信モジュールの構成例（通信モジュール１００Ｂ）を示す図である。なお、第２実施形態以降では、図１に示された実施形態と共通の事柄についての記述を省略し、異なる点についてのみ説明する。特に、同様の構成による同様の作用効果については実施形態毎には逐次言及しない。
【００２９】
通信モジュール１００Ｂは、図１に示される通信モジュール１００Ａに比べて、スイッチ回路９０をさらに備え、低雑音増幅器４０の代わりに低雑音増幅器４２を備える。
【００３０】
スイッチ回路９０（第３スイッチ回路）は、デュプレクサ３０ａ，３０ｂ，３０ｃから出力される受信信号のいずれかが端子９１ａ，９１ｂ，９１ｃに入力され、当該受信信号を端子９２から低雑音増幅器４２の端子４３に出力する。低雑音増幅器４２は、低雑音増幅器４０と同様に、端子４３から入力される受信信号を復調するために必要なレベルまで増幅し、増幅信号を出力する。
【００３１】
通信モジュール１００Ｂにおいては、アンテナスイッチ２０とデュプレクサ３０との間の線路６０と、デュプレクサ３０とスイッチ回路９０との間の線路６２との合計の長さが周波数帯域に応じて異なる。すなわち、バンドＢａｎｄ＿ａに対応する線路６０ａ及び線路６２ａの合計は、バンドＢａｎｄ＿ｂに対応する線路６０ｂ及び線路６２ｂの合計より短い。また、バンドＢａｎｄ＿ｂに対応する線路６０ｂ及び線路６２ｂの合計は、バンドＢａｎｄ＿ｃに対応する線路６０ｃ及び線路６２ｃの合計より短い。
【００３２】
図５は、本発明の第２実施形態に係る通信モジュールにおける構成要素の配置例を模式的に示す図である。なお、説明の便宜上、図５に示される構成要素のうち図４に示される構成要素に対応する要素については、図４に示される符号と同様の符号を用いて詳細な説明を省略する。
【００３３】
通信モジュール１００Ｂは、図３に示される通信モジュール１００Ａに比べて、低雑音増幅器４０ａ，４０ｂ，４０ｃの代わりに低雑音増幅器４２を備え、線路６１ａ，６１ｂ，６１ｃの代わりに線路６２ａ，６２ｂ，６２ｃを備え、スイッチ回路９０をさらに備える。
【００３４】
通信モジュール１００Ｂにおいても、図３に示される通信モジュール１００Ａと同様に、バンドＢａｎｄ＿ａの線路６０ａ及び線路６２ａの合計は、バンドＢａｎｄ＿ｂの線路６０ｂ及び線路６２ｂの合計より短い。また、バンドＢａｎｄ＿ｂの線路６０ｂ及び線路６２ｂの合計は、バンドＢａｎｄ＿ｃの線路６０ｃ及び線路６２ｃの合計より短い。これにより、デュプレクサにおける信号損失が比較的大きいバンドほど、信号経路における信号損失が比較的小さくなる。従って、周波数帯域の違いに応じた信号損失のばらつきが抑制され、周波数帯域ごとの受信感度のばらつきが抑制される。
【００３５】
このような構成によっても、通信モジュール１００Ｂは、通信モジュール１００Ａと同様の効果を得ることができる。また、通信モジュール１００Ｂは、通信モジュール１００Ａと比べて、低雑音増幅器の個数及び低雑音増幅器の出力端子数が減少するため、通信モジュールのサイズが小さくなる。
【００３６】
図６は、本発明の一実施形態に係る通信モジュールの構成例（通信モジュール１００Ｃ）を示す図である。通信モジュール１００Ｃは、通信モジュール１００Ａに比べて、スイッチ回路９３をさらに備える。
【００３７】
スイッチ回路９３（第２スイッチ回路）は、低雑音増幅器４０ａ，４０ｂ，４０ｃから出力される受信信号のいずれかが端子９４ａ，９４ｂ，９４ｃに入力され、当該受信信号を端子９５から出力する。このように、スイッチ回路が低雑音増幅器４０の後段に挿入されることにより、スイッチ回路が低雑音増幅器の前段に挿入された通信モジュール１００Ｂと比べて、スイッチ回路の挿入による信号損失が減少する。具体的には、図４に示される通信モジュール１００Ｂにおいて、アンテナスイッチ２０から低雑音増幅器４２の出力までの雑音指数（ＮＦ：Ｎｏｉｓｅ  Ｆｉｇｕｒｅ）は、アンテナスイッチ２０、デュプレクサ３０、線路６０，６２、及びスイッチ回路９０における信号損失と、低雑音増幅器４２における雑音指数の合計となる。一方、図６に示される通信モジュール１００Ｃにおける同雑音指数は、アンテナスイッチ２０、デュプレクサ３０、線路６０，６１における信号損失と、低雑音増幅器４０における雑音指数と、スイッチ回路９３における損失を低雑音増幅器４０のゲインで割った値の合計となる。従って、通信モジュール１００Ｃにおいては、スイッチ回路に起因する信号損失が低雑音増幅器のゲインで割られる分、通信モジュール１００Ｂに比べて雑音指数が低下する。
【００３８】
このような構成によっても、通信モジュール１００Ｃは、通信モジュール１００Ａと同様の効果を得ることができる。また、通信モジュール１００Ｃは、通信モジュール１００Ａと比べて低雑音増幅器の出力端子数が減少するため、モジュールのサイズが小さくなる。さらに、通信モジュール１００Ｃは、通信モジュール１００Ｂと比べて雑音指数が低下し、ノイズ性能が改善される。
【００３９】
なお、図４及び図６においては、スイッチ回路９０，９３により３つの信号経路が１つにまとめられる構成が示されているが、スイッチ回路の構成はこれに限られない。例えば、３つの信号経路のうち２つをスイッチ回路によりまとめ、当該まとめられた信号経路と残りの信号経路を再びスイッチ回路によりまとめてもよい。
【００４０】
以上、本発明の例示的な実施形態について説明した。通信モジュール１００Ａ，１００Ｃにおいては、デュプレクサ３０ａにおける信号損失が、デュプレクサ３０ｂにおける信号損失より大きく、アンテナスイッチ２０からデュプレクサ３０ａを経由して低雑音増幅器４０ａに至るまでの信号経路は、アンテナスイッチ２０からデュプレクサ３０ｂを経由して低雑音増幅器４０ｂに至るまでの信号経路より短い。これにより、デュプレクサ３０ａ，３０ｂ，３０ｃにおける信号損失のばらつきを、信号経路の長さよって相殺させることができる。従って、周波数帯域の違いに応じた信号損失のばらつきが抑制され、周波数帯域ごとの受信感度のばらつきが抑制される。
【００４１】
また、通信モジュール１００Ｃは、低雑音増幅器４０ａ，４０ｂ，４０ｃの後段にスイッチ回路９３をさらに備える。これにより、スイッチ回路が低雑音増幅器の前段に挿入される構成に比べて、スイッチ回路に起因する挿入損失が減少する。従って、通信モジュール１００Ｃは、通信モジュール１００Ｂに比べて雑音指数が低下する。
【００４２】
また、通信モジュール１００Ａ，１００Ｃの構成は、特に限定されるものではないが、例えば電力増幅器５０ａ，５０ｂ，５０ｃをさらに備えていてもよい。
【００４３】
また、通信モジュール１００Ｂにおいては、デュプレクサ３０ａにおける信号損失が、デュプレクサ３０ｂにおける信号損失より大きく、アンテナスイッチ２０からデュプレクサ３０ａを経由してスイッチ回路９０に至るまでの信号経路は、アンテナスイッチ２０からデュプレクサ３０ｂを経由してスイッチ回路９０に至るまでの信号経路より短い。これにより、デュプレクサ３０ａ，３０ｂ，３０ｃにおける信号損失のばらつきを、信号経路の長さよって相殺させることができる。従って、周波数帯域の違いに応じた信号損失のばらつきが抑制され、周波数帯域ごとの受信感度のばらつきが抑制される。
【００４４】
また、通信モジュール１００Ｂの構成は、特に限定されるものではないが、例えば電力増幅器５０ａ，５０ｂ，５０ｃをさらに備えていてもよい。
【００４５】
以上説明した各実施形態は、本発明の理解を容易にするためのものであり、本発明を限定して解釈するためのものではない。本発明は、その趣旨を逸脱することなく、変更／改良され得るととともに、本発明にはその等価物も含まれる。即ち、各実施形態に当業者が適宜設計変更を加えたものも、本発明の特徴を備えている限り、本発明の範囲に包含される。例えば、各実施形態が備える各要素およびその配置、材料、条件、形状、サイズなどは、例示したものに限定されるわけではなく適宜変更することができる。また、各実施形態が備える各要素は、技術的に可能な限りにおいて組み合わせることができ、これらを組み合わせたものも本発明の特徴を含む限り本発明の範囲に包含される。
【符号の説明】
【００４６】
１００Ａ，１００Ｂ，１００Ｃ  通信モジュール
１０  アンテナ
２０  アンテナスイッチ
３０  デュプレクサ
４０，４２  低雑音増幅器
５０  電力増幅器
６０，６１，６２  線路
７０  整合回路
８０，９０，９３  スイッチ回路
【図１】
2018098578.tif 000003
【図２Ａ】
2018098578.tif 000004
【図２Ｂ】
2018098578.tif 000005
【図２Ｃ】
2018098578.tif 000006
【図３】
2018098578.tif 000007
【図４】
2018098578.tif 000008
【図５】
2018098578.tif 000009
【図６】
2018098578.tif 000010